(57)【要約】【課題】電圧供給部を交替しても常に正確な電圧を供給することができる有機電界発光表示装置を提供する。【解決手段】電源線に接続された複数の画素を含む画素部２０と、第１電圧を出力する第１電圧供給部１１０と、第２電圧を出力する第２電圧供給部２１０と、第１電圧と第２電圧のうち、いずれか一つを、電源線を介して画素に供給する選択部１２０と、第１電圧供給部１１０及び選択部１２０が位置するパワーボード１００と、を含む。【選択図】図１
2015102874.tif 000002
【特許請求の範囲】
【請求項１】
電源線に接続された複数の画素を含む画素部と、
第１電圧を出力する第１電圧供給部と、
第２電圧を出力する第２電圧供給部と、
前記第１電圧と前記第２電圧のうち、いずれか一つを、前記電源線を介して前記画素に供給する選択部と、
前記第１電圧供給部及び前記選択部が位置するパワーボードと、
を含むことを特徴とする有機電界発光表示装置。
【請求項２】
前記有機電界発光表示装置は、前記第１電圧と第１基準電圧との間の偏差に対応する第１補償信号を前記第１電圧供給部に供給する電圧制御部をさらに含み、
前記第１電圧供給部は、前記電圧制御部から供給される第１補償信号を反映して前記第１電圧のレベルを変化させることを特徴とする請求項１に記載の有機電界発光表示装置。
【請求項３】
前記電圧制御部は、前記第２電圧と第２基準電圧との間の偏差に対応する第２補償信号を前記第２電圧供給部に供給し、
前記第２電圧供給部は、前記電圧制御部から供給される第２補償信号を反映して前記第２電圧のレベルを変化させることを特徴とする請求項２に記載の有機電界発光表示装置。
【請求項４】
前記画素部は、第１領域と第２領域とに区分され、前記電源線は、前記第１領域に位置する画素に接続される第１電源線と、
前記第２領域に位置する画素に接続される第２電源線と、
を含むことを特徴とする請求項２に記載の有機電界発光表示装置。
【請求項５】
前記有機電界発光表示装置は、前記画素部の下側に位置する第１ボードと第２ボードと、
前記画素部の上側に位置する第３ボードと第４ボードとをさらに含み、
前記第２電圧供給部と前記電圧制御部は、
前記第１ボードに位置するか、前記第２ボードに位置することを特徴とする請求項４に記載の有機電界発光表示装置。
【請求項６】
前記第１電源線は、前記第１ボード及び前記第３ボードを介して前記第１電圧または前記第２電圧の供給を受けて、
前記第２電源線は、前記第２ボード及び前記第４ボードを介して前記第１電圧または前記第２電圧の供給を受けることを特徴とする請求項５に記載の有機電界発光表示装置。
【請求項７】
前記第１ボード及び前記第３ボードに接続される第１接続部と、
前記第２ボード及び前記第４ボードに接続される第２接続部と、
前記第１接続部と前記パワーボードとの間に接続される第１ケーブルと、
前記第２接続部と前記パワーボードとの間に接続される第２ケーブルと、
をさらに含むことを特徴とする請求項６に記載の有機電界発光表示装置。
【請求項８】
前記選択部は、前記第１ケーブル及び前記第１接続部を介して前記第１ボードと前記第３ボードに前記第１電圧または前記第２電圧を供給し、
前記第２ケーブル及び前記第２接続部を介して前記第２ボードと前記第４ボードに前記第１電圧または前記第２電圧を供給することを特徴とする請求項７に記載の有機電界発光表示装置。
【請求項９】
前記選択部は、前記第１電圧供給部から出力される第１電圧と、
前記第２電圧供給部から出力される第２電圧のうちいずれか一つを選択して出力するスイッチ部と、
スイッチング制御信号に対応して前記スイッチ部の動作を制御するスイッチング制御部と、
を含むことを特徴とする請求項８に記載の有機電界発光表示装置。
【請求項１０】
前記スイッチング制御信号を前記スイッチング制御部に供給し、
前記第１ボード及び前記第２ボードのうち、少なくともいずれか一つに接続された制御ボードに位置するタイミング制御部をさらに含むことを特徴とする請求項９に記載の有機電界発光表示装置。
【発明の詳細な説明】
【技術分野】
【０００１】
本発明は、有機電界発光表示装置に関し、より詳細には、画素に均一な電圧を常に供給することができる有機電界発光表示装置に関する。
【背景技術】
【０００２】
近年、陰極線管（Ｃａｔｈｏｄｅ  Ｒａｙ  Ｔｕｂｅ）の短所である重さ及び体積を減らすことができる各種表示装置等が開発されている。このような表示装置としては、液晶表示装置（Ｌｉｑｕｉｄ  Ｃｒｙｓｔａｌ  Ｄｉｓｐｌａｙ  Ｄｅｖｉｃｅ）、電界放出表示装置（Ｆｉｅｌｄ  Ｅｍｉｓｓｉｏｎ  Ｄｉｓｐｌａｙ  Ｄｅｖｉｃｅ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）等がある。
【０００３】
このうち、有機電界発光表示装置は、電子と正孔の再結合によって光を発生する有機発光ダイオードを利用して映像を表示するもので、これは、速い応答速度を持つと同時に低い消費電力で駆動されるという長所がある。このような有機電界発光表示装置は、画素に電圧を供給する電圧供給部を含む（下記の特許文献１参照）。
【０００４】
ところで、電圧供給部の不良などを理由として電圧供給部の交替が要求されることがある。しかし、電圧供給部ごとに出力電圧の偏差が存在するため、電圧供給部を交替しても、要求される電圧を正確に供給するには多少困難さがあった。
【先行技術文献】
【特許文献】
【０００５】
【特許文献１】特開２００９−２２３０３６号公報
【発明の概要】
【発明が解決しようとする課題】
【０００６】
したがって、本発明は、上述した問題点を解決するために案出されたもので、その目的は、電圧供給部を交替しても常に正確な電圧を供給することができる有機電界発光表示装置を提供することである。
【０００７】
また、本発明の他の目的は、非発光時に使用される電圧を別途の電圧供給部を介して供給する有機電界発光表示装置を提供することである。
【課題を解決するための手段】
【０００８】
上記のような目的を達成するための本発明の特徴によれば、本発明の実施形態による有機電界発光表示装置は、電源線に接続された複数の画素を含む画素部と、第１電圧を出力する第１電圧供給部と、第２電圧を出力する第２電圧供給部と、前記第１電圧と前記第２電圧のうち、いずれか一つを、前記電源線を介して前記画素に供給する選択部、及び前記第１電圧供給部及び前記選択部が位置するパワーボードを含む。
【０００９】
また、前記有機電界発光表示装置は、前記第１電圧と第１基準電圧との間の偏差に対応する第１補償信号を前記第１電圧供給部に供給する電圧制御部をさらに含み、前記第１電圧供給部は、前記電圧制御部から供給される第１補償信号を反映して前記第１電圧のレベルを変化させることを特徴とする。
【００１０】
また、前記電圧制御部は、前記第２電圧と第２基準電圧との間の偏差に対応する第２補償信号を前記第２電圧供給部に供給し、前記第２電圧供給部は、前記電圧制御部から供給される第２補償信号を反映して前記第２電圧のレベルを変化させることを特徴とする。
【００１１】
また、前記画素部は、第１領域と第２領域とに区分され、前記電源線は、前記第１領域に位置する画素に接続される第１電源線と、前記第２領域に位置する画素に接続される第２電源線と、を含む。
【００１２】
また、前記有機電界発光表示装置は、前記画素部の下側に位置する第１ボードと第２ボード及び前記画素部の上側に位置する第３ボードと第４ボードをさらに含み、前記第２電圧供給部と前記電圧制御部は、前記第１ボードとともに位置するか、前記第２ボードにともに位置することを特徴とする。
【００１３】
また、前記第１電源線は、前記第１ボードと前記第３ボードを介して前記第１電圧または前記第２電圧の供給を受けて、前記第２電源線は、前記第２ボード及び前記第４ボードを介して前記第１電圧または前記第２電圧の供給を受けることを特徴とする。
【００１４】
また、前記第１ボード及び前記第３ボードに接続される第１接続部と、前記第２ボード及び前記第４ボードに接続される第２接続部と、前記第１接続部と前記パワーボードとの間に接続される第１ケーブル及び前記第２接続部と前記パワーボードとの間に接続される第２ケーブルとをさらに含む。
【００１５】
また、前記選択部は、前記第１ケーブル及び前記第１接続部を介して前記第１ボードと前記第３ボードに前記第１電圧または前記第２電圧を供給し、前記第２ケーブル及び前記第２接続部を介して前記第２ボードと前記第４ボードに前記第１電圧または前記第２電圧を供給することを特徴とする。
【００１６】
また、前記選択部は、前記第１電圧供給部から出力される第１電圧と、前記第２電圧供給部から出力される第２電圧のうちいずれか一つを選択して出力するスイッチ部と、スイッチング制御信号に対応して前記スイッチ部の動作を制御するスイッチング制御部とを含む。
【００１７】
また、前記スイッチング制御信号を前記スイッチング制御部に供給し、前記第１ボード及び前記第２ボードのうち、少なくともいずれか一つに接続された制御ボードに位置するタイミング制御部をさらに含む。
【発明の効果】
【００１８】
以上、前述した本発明によれば、電圧供給部を交替しても常に正確な電圧を供給することができる有機電界発光表示装置を提供することができる。
【００１９】
また、本発明によれば、非発光時に使用される電圧を別途の電圧供給部を介して供給する有機電界発光表示装置を提供することができる。
【図面の簡単な説明】
【００２０】
【図１】本発明の実施形態による有機電界発光表示装置を示した図面である。
【図２】本発明の実施形態による有機電界発光表示装置に含まれた各構成要素の間の接続関係をより詳しく示した図面である。
【図３】本発明の実施形態による有機電界発光表示装置の動作を示した図面である。
【図４】図１に図示された画素の一実施形態を示した図面である。
【図５】本発明の実施形態による電圧制御部が基準電圧を設定する方法を説明するための図面である。
【発明を実施するための形態】
【００２１】
その他の実施形態等の具体的な事項は、詳細な説明及び図面に含まれている。本発明の利点及び特徴、そしてそれらを達成する方法は、添付される図面と共に詳細に後述されている実施形態を参照すれば明確になるであろう。しかし、本発明は、以下に開示される実施形態に限定されるものではなく、互いに異なる多様な形態に具現されることができ、以下の説明である部分が他の部分に接続されているとした時、これは直接的に接続されている場合のみならず、その中間に他の素子を間に置いて電気的に接続されている場合をも含む。また、図面で本発明と関係のない部分は、本発明の説明を明確にするために省略しており、明細書全体を通じて類似した部分に対しては同一の図面符号を付けた。
【００２２】
以下、本発明の実施形態及びこれを説明するための図面を参考にして、本発明の実施形態による有機電界発光表示装置について説明する。図１は、本発明の実施形態による有機電界発光表示装置を示した図、図２は、本発明の実施形態による有機電界発光表示装置に含まれた各構成要素の間の接続関係をより詳しく示した図面である。
【００２３】
図１及び図２を参照すれば、本発明の実施形態による有機電界発光表示装置は、複数の画素１０を含む画素部２０と、第１電圧供給部１１０と、第２電圧供給部２１０と、選択部１２０と、を含む。
【００２４】
画素部２０は、複数の画素１０を含むことで、所定の画像を表示することができる。各画素１０は、第１電圧供給部１１０及び第２電圧供給部２１０から第１電圧ＥＬＶＤＤ１または第２電圧ＥＬＶＤＤ２の供給を受けることができる。
【００２５】
また、別途の電圧供給部（図示せず）を介して第３電圧ＥＬＶＳＳの供給を受けることができる。第３電圧ＥＬＶＳＳに係わる構成は、本発明の技術的特徴と関係がないので、ここでは、その説明を省略する。例えば、各画素１０は、第１電圧ＥＬＶＤＤ１から有機発光ダイオードを経由して第３電圧ＥＬＶＳＳまで流れる電流によってデータ信号に対応する光を生成することができる。
【００２６】
第１電圧ＥＬＶＤＤ１と第２電圧ＥＬＶＤＤ２は、互いに異なる電圧レベルを持つ陽電圧に設定されることができ、第３電圧ＥＬＶＳＳは、陰電圧に設定されることができる。また、第２電圧ＥＬＶＤＤ２は、第１電圧ＥＬＶＤＤ１より低い電圧レベルを持つことができる。
【００２７】
画素１０は、電源線３１０、３２０に接続される。例えば、図１に図示されたように同一の列に存在する画素は、同一の電源線に接続される。
【００２８】
各画素１０は、自分に接続された電源線３１０、３２０を介して第１電圧ＥＬＶＤＤ１または第２電圧ＥＬＶＤＤ２の供給を受けることができる。第１電圧供給部１１０は、第１電圧ＥＬＶＤＤ１を生成して出力することができる。また、第１電圧供給部１１０は、生成された第１電圧ＥＬＶＤＤ１を選択部１２０に供給することができる。
【００２９】
第２電圧供給部２１０は、第２電圧ＥＬＶＤＤ２を生成して出力することができる。また、第２電圧供給部２１０は、生成された第２電圧ＥＬＶＤＤ２を選択部１２０に供給することができる。例えば、第１電圧供給部１１０と第２電圧供給部２１０は、外部から入力される電圧を変換して出力するＤＣ-ＤＣコンバータでありえる。
【００３０】
選択部１２０は、第１電圧供給部１１０から出力される第１電圧ＥＬＶＤＤ１及び第２電圧供給部２１０から出力される第２電圧ＥＬＶＤＤ２のうち、いずれか一つを、電源線３１０、３２０を介して画素１０に供給することができる。例えば、選択部１２０は、第１電圧ＥＬＶＤＤ１を選択して画素１０に供給するか、第２電圧ＥＬＶＤＤ２を選択して画素１０に供給することができる。この時、第１電圧供給部１１０と選択部１２０とは、パワーボード１００に位置することができる。したがって、第１電圧供給部１１０は、パワーボード１００上に位置した選択部１２０に第１電圧ＥＬＶＤＤ１を供給し、第２電圧供給部２１０は、パワーボード１００上に位置した選択部１２０に第２電圧ＥＬＶＤＤ２を供給することができる。
【００３１】
本発明の実施形態による有機電界発光表示装置は、電圧制御部２２０をさらに含むことができる。
【００３２】
電圧制御部２２０は、第１電圧供給部１１０から出力される第１電圧ＥＬＶＤＤ１の入力を受けて、入力された第１電圧ＥＬＶＤＤ１を既設定された第１基準電圧Ｖｒｅｆ１と比べることができる。また、電圧制御部２２０は、第１電圧ＥＬＶＤＤ１と第１基準電圧Ｖｒｅｆ１との間の偏差を計算し、計算された偏差に対応する第１補償信号Ｃｓ１を第１電圧供給部１１０に供給することができる。この時、第１電圧供給部１１０は、電圧制御部２２０から供給される第１補償信号Ｃｓ１を反映して第１電圧ＥＬＶＤＤ１のレベルを変化させることができる。これにより、第１電圧供給部１１０が交替されても第１電圧供給部１１０から出力される第１電圧ＥＬＶＤＤ１のレベルは、一定に維持されることができる。
【００３３】
また、電圧制御部２２０は、第２電圧供給部２１０から出力される第２電圧ＥＬＶＤＤ２の入力を受けて、入力された第２電圧ＥＬＶＤＤ２を既設定された第２基準電圧Ｖｒｅｆ２と比べることができる。
【００３４】
また、電圧制御部２２０は、第２電圧ＥＬＶＤＤ２と第２基準電圧Ｖｒｅｆ２との間の偏差を計算し、計算された偏差に対応する第２補償信号Ｃｓ２を第２電圧供給部２１０に供給することができる。この時、第２電圧供給部２１０は、電圧制御部２２０から供給される第２補償信号Ｃｓ２を反映して第２電圧ＥＬＶＤＤ２のレベルを変化させることができる。これにより、第２電圧供給部２１０が交替されても第２電圧供給部２１０から出力される第２電圧ＥＬＶＤＤ２のレベルは、一定に維持されることができる。
【００３５】
本発明の実施形態による有機電界発光表示装置において、画素部２０は第１領域Ｒ１と第２領域Ｒ２とに区分される。この時、電源線３１０、３２０は、第１領域Ｒ１に位置する画素１０に接続される第１電源線３１０と、第２領域Ｒ２に位置する画素１０に接続される第２電源線３２０とを含む。
【００３６】
また、本発明の実施形態による有機電界発光表示装置は、画素部２０の下側に位置する第１ボードＢ１と第２ボードＢ２、及び画素部２０の上側に位置する第３ボードＢ３と第４ボードＢ４とをさらに含むことができる。例えば、第１ボードＢ１は、第１領域Ｒ１の下側に位置することができ、第２ボードＢ２は第２領域Ｒ２の下側に位置することができる。
【００３７】
また、第３ボードＢ３は、第１領域Ｒ１の上側に位置することができ、第４ボードＢ４は、第２領域Ｒ２の上側に位置することができる。この時、前に説明した第２電圧供給部２１０と電圧制御部２２０は、第１ボードＢ１に一緒に位置するか、第２ボードＢ２に一緒に位置することができる。例えば、図１及び図２では、第２電圧供給部２１０と電圧制御部２２０が第１ボードＢ１に一緒に位置していることを図示した。
【００３８】
第１電源線３１０は、第１ボードＢ１と第３ボードＢ３とを介して第１電圧ＥＬＶＤＤ１または第２電圧ＥＬＶＤＤ２の供給を受けることができる。このために、第１電源線３１０の一端は、第１接続要素９１を介して第１ボードＢ１に接続されることができ、第１電源線３１０の他端は、第３接続要素９３を介して第３ボードＢ３に接続されることができる。また、第２電源線３２０は、第２ボードＢ２と第４ボードＢ４とを介して第１電圧ＥＬＶＤＤ１または第２電圧ＥＬＶＤＤ２の供給を受けることができる。
【００３９】
このために、第２電源線３２０の一端は、第２接続要素９２を介して第２ボードＢ２に接続されることができ、第２電源線３２０の他端は、第４接続要素９４を介して第４ボードＢ４に接続されることができる。この時、第１接続要素９１、第２接続要素９２、第３接続要素９３、及び第４接続要素９４は、印刷回路基板（ＰＣＢ；Ｐｒｉｎｔｅｄ  Ｃｉｒｃｕｉｔ  Ｂｏａｒｄ）、軟性印刷回路基板（ＦＰＣＢ；Ｆｌｅｘｉｂｌｅ  Ｐｒｉｎｔｅｄ  Ｃｉｒｃｕｉｔ  Ｂｏａｒｄ）などからなることができる。
【００４０】
本発明の実施形態による有機電界発光表示装置は、第１接続部４１０、第２接続部４２０、第１ケーブル５１０、及び第２ケーブル５２０をさらに含む。
【００４１】
第１接続部４１０は、第１ボードＢ１と第３ボードＢ３とに接続されることができる。例えば、第１接続部４１０の一端は、第１ボードＢ１に接続され、第１接続部４１０の他端は、第３ボードＢ３に接続されることができる。また、第２接続部４２０は、第２ボードＢ２と第４ボードＢ４とに接続されることができる。例えば、第２接続部４２０の一端は、第２ボードＢ２に接続され、第２接続部４２０の他端は、第４ボードＢ４に接続されることができる。この時、第１接続部４１０と第２接続部４２０は、軟性印刷回路基板ＦＰＣＢからなることができる。
【００４２】
第１ケーブル５１０は、第１接続部４１０とパワーボード１００との間に接続されることができる。例えば、第１ケーブル５１０の一端は、第１接続部４１０に接続されて、第１ケーブル５１０の他端は、パワーボード１００に接続されることができる。
【００４３】
第２ケーブル５２０は、第２接続部４２０とパワーボード１００との間に接続されることができる。例えば、第２ケーブル５２０の一端は、第２接続部４２０に接続され、第２ケーブル５２０の他端は、パワーボード１００に接続されることができる。
【００４４】
したがって、パワーボード１００に位置した選択部１２０は、第１ケーブル５１０及び第１接続部４１０を介して第１ボードＢ１と第３ボードＢ３に第１電圧ＥＬＶＤＤ１または第２電圧ＥＬＶＤＤ２を供給することができる。この時、第１ボードＢ１と第３ボードＢ３とに供給された第１電圧ＥＬＶＤＤ１または第２電圧ＥＬＶＤＤ２は、再び接続要素９１、９３を介して第１電源線３１０に伝達されることができる。
【００４５】
また、パワーボード１００に位置した選択部１２０は、第２ケーブル５２０及び第２接続部４２０を介して第２ボードＢ２と第４ボードＢ４とに第１電圧ＥＬＶＤＤ１または第２電圧ＥＬＶＤＤ２を供給することができる。この時、第２ボードＢ４と第４ボードＢ４とに供給された第１電圧ＥＬＶＤＤ１または第２電圧ＥＬＶＤＤ２は、再び接続要素９２、９４を介して第２電源線３２０に伝達されることができる。
【００４６】
第２電圧供給部２１０は、第１接続部４１０、第２接続部４２０、第１ケーブル５１０及び第２ケーブル５２０を介して第２電圧ＥＬＶＤＤ２を選択部１２０に供給することができる。例えば、第２電圧供給部２１０が第１ボードＢ１に位置する場合、第２電圧供給部２１０は、第１接続部４１０及び第１ケーブル５１０を介してパワーボード１００に位置した選択部１２０に第２電圧ＥＬＶＤＤ２を供給することができる。
【００４７】
また、第２電圧供給部２１０が第２ボードＢ２に位置する場合、第２電圧供給部２１０は、第２接続部４２０及び第２ケーブル５２０を介してパワーボード１００に位置した選択部１２０に第２電圧ＥＬＶＤＤ２を供給することができる。
【００４８】
電圧制御部２２０は、第１接続部４１０、第２接続部４２０、第１ケーブル５１０及び第２ケーブル５２０を介して第１電圧供給部１１０から出力される第１電圧ＥＬＶＤＤ１の入力を受けることができる。例えば、電圧制御部２２０が第１ボードＢ１に位置する場合、電圧制御部２２０は第１接続部４１０及び第１ケーブル５１０を介してパワーボード１００に位置した第１電圧供給部１１０から第１電圧ＥＬＶＤＤ１の伝達を受けることができる。また、電圧制御部２２０が第２ボードＢ２に位置する場合、電圧制御部２２０は第２接続部４２０及び第２ケーブル５２０を介してパワーボード１００に位置した第１電圧供給部１１０から第１電圧ＥＬＶＤＤ１の供給を受けることができる。
【００４９】
電圧制御部２２０は、第１接続部４１０、第２接続部４２０、第１ケーブル５１０及び第２ケーブル５２０を介して第１補償信号Ｃｓ１をパワーボード１００に位置した第１電圧供給部１１０に供給することができる。例えば、電圧制御部２２０が第１ボードＢ１に位置する場合、電圧制御部２２０は第１接続部４１０及び第１ケーブル５１０を介してパワーボード１００に位置した第１電圧供給部１１０に第１補償信号Ｃｓ１を供給することができる。
【００５０】
また、電圧制御部２２０が第２ボードＢ２に位置する場合、電圧制御部２２０は第２接続部４２０及び第２ケーブル５２０を介してパワーボード１００に位置した第１電圧供給部１１０に第１補償信号Ｃｓ１を供給することができる。
【００５１】
図２を参照すれば、本発明の実施形態による選択部１２０は、スイッチ部１２１とスイッチング制御部１２２とを含む。
【００５２】
スイッチ部１２１は、第１電圧供給部１１０から出力される第１電圧ＥＬＶＤＤ１と、第２電圧供給部２１０から出力される第２電圧ＥＬＶＤＤ２のうちいずれか一つを選択して出力することができる。例えば、スイッチ部１２１は第１電圧ＥＬＶＤＤ１を出力するために第１電圧供給部１１０の出力端と電気的に接続されるか、第２電圧ＥＬＶＤＤ２を出力するために第２電圧供給部２１０の出力端と電気的に接続されることができる。
【００５３】
スイッチング制御部１２２は、スイッチング制御信号ＣＴＬに対応してスイッチ部１２１の動作を制御することができる。この時、本発明の実施形態による有機電界発光表示装置は、スイッチング制御信号ＣＴＬをスイッチング制御部１２２に供給するタイミング制御部６１０をさらに含むことができる。
【００５４】
タイミング制御部６１０は、制御ボード６００に位置することができ、前記制御ボード６００は第１ボードＢ１及び第２ボードＢ２のうち少なくともいずれか一つに接続されることができる。例えば、タイミング制御部６１０は接続要素９６を介して第１ボードＢ１及び第２ボードＢ２のうち少なくともいずれか一つに接続されることができる。
【００５５】
この時、接続要素９６は印刷回路基板ＰＣＢ、軟性印刷回路基板ＦＰＣＢからなることができる。したがって、タイミング制御部６１０が第１ボードＢ１に接続された場合、タイミング制御部６１０は、第１ボードＢ１、第１接続部４１０及び第１ケーブル５１０を介してパワーボード１００に位置したスイッチング制御部１２２にスイッチング制御信号ＣＴＬを供給することができる。また、タイミング制御部６１０が第２ボードＢ２に接続された場合、タイミング制御部６１０は第２ボードＢ２、第２接続部４２０及び第２ケーブル５２０を介してパワーボード１００に位置したスイッチング制御部１２２にスイッチング制御信号ＣＴＬを供給することができる。
【００５６】
図３は、本発明の実施形態による有機電界発光表示装置の動作を示した図面である。図３を参照すれば、本発明の実施形態による有機電界発光表示装置は、第１期間Ｐ１の間、第１電圧ＥＬＶＤＤ１を画素１０に供給して、第２期間Ｐ２の間、第２電圧ＥＬＶＤＤ２を画素１０に供給する。このために、選択部１２０は、第１期間Ｐ１の間、第１電圧ＥＬＶＤＤ１を選択して出力し、第２期間Ｐ２の間、第２電圧ＥＬＶＤＤ２を選択して出力する。この時、第１期間Ｐ１と第２期間Ｐ２とは、互いに交互に進行される。また、第１期間Ｐ１中、少なくとも一部期間の間では、画素１０が発光動作を遂行することができ、第２期間Ｐ２中、少なくとも一部期間の間では画素１０が非発光状態に維持されて初期化または補償動作などを遂行することができる。
【００５７】
図４は、図１に示された画素の一実施形態を示した図面である。特に、図４では、説明の便宜性のために、第ｎ走査線Ｓｎ及び第ｍデータ線Ｄｍと接続された画素１０を図示する。図４を参照すれば、画素１０は有機発光ダイオードＯＬＥＤと、データ線Ｄｍ及び走査線Ｓｎに接続されて有機発光ダイオードＯＬＥＤを制御するための画素回路１２を具備する。
【００５８】
有機発光ダイオードＯＬＥＤのアノード電極は、画素回路１２に接続され、カソード電極は、第３電圧ＥＬＶＳＳに接続されることができる。このような有機発光ダイオードＯＬＥＤは、画素回路１２から供給される電流に対応されて所定輝度の光を生成することができる。
【００５９】
画素回路１２は、走査線Ｓｎに走査信号が供給される時、データ線Ｄｍに供給されるデータ信号に対応して有機発光ダイオードＯＬＥＤに供給される電流量を制御することができる。このために、画素回路１２は第１電圧ＥＬＶＤＤ１または第２電圧ＥＬＶＤＤ２と有機発光ダイオードＯＬＥＤとの間に接続された第２トランジスターＴ２と、第２トランジスターＴ２、データ線Ｄｍ及び走査線Ｓｎの間に接続された第１トランジスターＴ１と、第２トランジスターＴ２のゲート電極と第１電極との間に接続されたストレージキャパシタＣｓtとを具備する。
【００６０】
第１トランジスターＴ１のゲート電極は、走査線Ｓｎに接続され、第１電極はデータ線Ｄｍに接続される。そして、第１トランジスターＴ１の第２電極は、ストレージキャパシタＣｓtの一側端子に接続される。ここで、第１電極は、ソース電極及びドレイン電極のうちいずれか一つに設定され、第２電極は第１電極と異なる電極に設定される。例えば、第１電極がソース電極に設定されれば、第２電極はドレイン電極に設定される。
【００６１】
走査線Ｓｎ及びデータ線Ｄｍに接続された第１トランジスターＴ１は、走査線Ｓｎから走査信号が供給される時、ターンオンされてデータ線Ｄｍから供給されるデータ信号をストレージキャパシタＣｓtに供給する。この時、ストレージキャパシタＣｓtは、データ信号に対応する電圧を充電することができる。
【００６２】
第２トランジスターＴ２のゲート電極は、ストレージキャパシタＣｓtの一側端子に接続され、第１電極はストレージキャパシタＣｓtの他側端子及び第１電圧ＥＬＶＤＤ１または第２電圧ＥＬＶＤＤ２に接続される。そして、第２トランジスターＴ２の第２電極は、有機発光ダイオードＯＬＥＤのアノード電極に接続されることができる。
【００６３】
このような第２トランジスターＴ２は、ストレージキャパシタＣｓtに保存された電圧値に対応して第１電圧ＥＬＶＤＤ１から有機発光ダイオードＯＬＥＤを経由して第３電圧ＥＬＶＳＳへ流れる電流量を制御することができる。この時、有機発光ダイオードＯＬＥＤは、第２トランジスターＴ２から供給される電流量に対応する光を生成することができる。また、第２電圧ＥＬＶＤＤ２が画素１０に供給される期間の間、各画素１０は非発光の状態を維持するように制御されることができる。
【００６４】
前述した図４の画素構造は、本発明の一実施形態に過ぎないので、本発明の画素１０が前記画素構造に限定されるものではない。例えば、画素回路１２は、有機発光ダイオードＯＬＥＤに電流を供給することができる回路構造を有し、現在公知となっている多様な構造のうちいずれか一つを選択することができる。
【００６５】
図５は、本発明の実施形態による電圧制御部が基準電圧を設定する方法を説明するための図面である。図４及び図５を参照すれば、本発明の実施形態による有機電界発光表示装置の電圧制御部２２０は、直線関数Ｆを利用して前述した第１基準電圧Ｖｒｅｆ１を設定することができる。このために、電圧制御部２２０は、第１制御信号Ｃｖ１と第２制御信号Ｃｖ２とを第１電圧供給部１１０に供給することができる。
【００６６】
第１制御信号Ｃｖ１は、第１電圧供給部１１０がＡ電圧レベルＶＡを有する第１電圧ＥＬＶＤＤ１を出力するように制御する信号であり、第２制御信号Ｃｖ２は、第１電圧供給部１１０がＢ電圧レベルＶＢを有する第１電圧ＥＬＶＤＤ１を出力するように制御する信号である。これによって、第１電圧供給部１１０は、電圧制御部２２０から供給される制御信号Ｃｖ１、Ｃｖ２に対応して第１電圧ＥＬＶＤＤ１のレベルを変化させることができる。
【００６７】
また、電圧制御部２２０は、各制御信号Ｃｖ１、Ｃｖ２に対応して第１電圧供給部１１０から出力される第１電圧ＥＬＶＤＤ１のレベルをそれぞれ測定することができる。例えば、電圧制御部２２０が第１制御信号Ｃｖ１を第１電圧供給部１１０に供給した場合、第１電圧供給部１１０は第１制御信号Ｃｖ１に対応して第１電圧ＥＬＶＤＤ１のレベルをＡ電圧レベルＶＡに変化させることができる。この時、電圧制御部２２０は、第１電圧供給部１１０から出力される第１電圧ＥＬＶＤＤ１のレベルを測定することができる。
【００６８】
ここで、説明の便宜上第１制御信号Ｃｖ１に対応して測定された第１電圧ＥＬＶＤＤ１のレベルを第１測定電圧レベルＶｍ１と指称することにする。理想的には、第１測定電圧レベルＶｍ１とＡ電圧レベルＶＡが同一でなければならないが、実際に第１電圧供給部１１０自体の誤差及び他の構成要素の抵抗などによって第１測定電圧レベルＶｍ１とＡ電圧レベルＶＡは互いに異なるようになる。
【００６９】
また、電圧制御部２２０が第２制御信号Ｃｖ２を第１電圧供給部１１０に供給した場合、第１電圧供給部１１０は、第２制御信号Ｃｖ２に対応して第１電圧ＥＬＶＤＤ１のレベルをＢ電圧レベルＶＢに変化させることができる。この時、電圧制御部２２０は、第１電圧供給部１１０から出力される第１電圧ＥＬＶＤＤ１のレベルを測定することができる。ここで、説明の便宜上第２制御信号Ｃｖ２に対応して測定された第１電圧ＥＬＶＤＤ１のレベルを第２測定電圧レベルＶｍ２と指称することにする。理想的には、第２測定電圧レベルＶｍ２とＢ電圧レベルＶＢが同一でなければならないが、実際には第１電圧供給部１１０自体の誤差及び他の構成要素の抵抗などによって第２測定電圧レベルＶｍ２とＢ電圧レベルＶＢは異なるようになる。
【００７０】
電圧制御部２２０は、Ａ電圧レベルＶＡと第１測定電圧レベルＶｍ１からなる第１座標Ｅ１と、Ｂ電圧レベルＶＢと第２測定電圧レベルＶｍ２からなる第２座標Ｅ２を利用して前記第１座標Ｅ１と第２座標Ｅ２とを通過する直線関数Ｆを算出することができる。また、電圧制御部２２０は、算出された直線関数Ｆを利用して既に設定された目標電圧レベルＶｔに対応する設定電圧レベルＶｓを算出し、算出された設定電圧レベルＶｓを第１基準電圧Ｖｒｅｆ１に設定することができる。これによって、電圧制御部２２０は、実際に存在する誤差を反映して第１基準電圧Ｖｒｅｆ１を修正することができるようになる。
【００７１】
電圧制御部２２０は、第１接続部４１０、第２接続部４２０、第１ケーブル５１０及び第２ケーブル５２０を介して第１電圧供給部１１０から出力される第１電圧ＥＬＶＤＤ１を測定することができる。例えば、電圧制御部２２０が第１ボードＢ１に位置する場合、電圧制御部２２０は第１接続部４１０及び第１ケーブル５１０を介してパワーボード１００に位置した第１電圧供給部１１０の出力端と電気的に接続され、これによって第１電圧ＥＬＶＤＤ１のレベルを測定することができる。また、電圧制御部２２０が第２ボードＢ２に位置する場合、電圧制御部２２０は第２接続部４２０及び第２ケーブル５２０を介してパワーボード１００に位置した第１電圧供給部１１０の出力端と電気的に接続され、これによって第１電圧ＥＬＶＤＤ１のレベルを測定することができる。
【００７２】
電圧制御部２２０は、第１接続部４１０、第２接続部４２０、第１ケーブル５１０及び第２ケーブル５２０を介して制御信号Ｃｖ１、Ｃｖ２をパワーボード１００に位置した第１電圧供給部１１０に供給することができる。例えば、電圧制御部２２０が第１ボードＢ１に位置する場合、電圧制御部２２０は第１接続部４１０及び第１ケーブル５１０を介してパワーボード１００に位置した第１電圧供給部１１０に制御信号Ｃｖ１、Ｃｖ２を供給することができる。また、電圧制御部２２０が第２ボードＢ２に位置する場合、電圧制御部２２０は第２接続部４２０及び第２ケーブル５２０を介してパワーボード１００に位置した第１電圧供給部１１０に制御信号Ｃｖ１、Ｃｖ２を供給することができる。
【００７３】
以上、説明したように、本発明の属する技術分野における通常の知識を有する者は、本発明がその技術的思想や必須的特徴を変更しなくとも他の具体的な形態で実施することができるということを理解できるであろう。よって、以上より記述した実施形態等はすべての面から例示的なもので、限定的ではないものとして理解しなければならない。また、本発明の範囲は、上記詳細な説明よりは後述する特許請求の範囲によって示され、特許請求の範囲の意味及び範囲、そしてその均等概念から導出されるすべての変更または変形された形態が本発明の範囲に含まれるものと解釈されなければならない。
【符号の説明】
【００７４】
１０  画素、
２０  画素部、
１００  パワーボード、
１１０  第１電圧供給部、
１２０  選択部、
１２１  スイッチ部、
１２２  スイッチング制御部、
２１０  第２電圧供給部、
２２０  電圧制御部、
３１０  第１電源線、
３２０  第２電源線、
４１０  第１接続部、
４２０  第２接続部、
５１０  第１ケーブル、
５２０  第２ケーブル、
Ｂ１  第１ボード、
Ｂ２  第２ボード、
Ｂ３  第３ボード、
Ｂ４  第４ボード。
【図１】
2015102874.tif 000003
【図２】
2015102874.tif 000004
【図３】
2015102874.tif 000005
【図４】
2015102874.tif 000006
【図５】
2015102874.tif 000007